(57)【要約】【課題】洗濯物を乾燥させる環境に基づく適切な情報を提示する。【解決手段】洗濯物乾燥システム１は、洗濯物に含まれる水分量を含む洗濯物情報と洗濯終了時刻とを洗濯機から受信する通信部１３と、複数の乾燥手段それぞれによって洗濯物を乾燥させるときの標準乾燥能力値及び標準消費エネルギー量と、乾燥時の環境を示す環境情報とを含む第一情報を取得する取得部１４と、複数の乾燥手段それぞれについて、（ａ）第一情報に基づいて標準乾燥能力値を補正し、当該乾燥手段により洗濯物を乾燥させるときの乾燥能力値を推定し、（ｂ）推定した乾燥能力値と洗濯物情報とを用いて、洗濯物を当該乾燥手段によって乾燥し始めたと仮定した場合に、乾燥が完了する乾燥完了予定時刻と、乾燥のときの消費エネルギー量とを算出する、処理部１５と、複数の乾燥手段それぞれについての乾燥完了予定時刻と消費エネルギー量との少なくとも一方を提示する出力部１６とを備える。【選択図】図１
2020182643.tif 000002
【特許請求の範囲】
【請求項１】
洗濯機によって洗濯された洗濯物を乾燥させるための洗濯物乾燥システムであって、
前記洗濯物に含まれる水分量を含む洗濯物情報と、前記洗濯が終了する時刻である洗濯終了時刻とを前記洗濯機から受信する通信部と、
前記洗濯物を乾燥させ得る複数の乾燥手段それぞれによって前記洗濯物を乾燥させるときの標準乾燥能力値および標準消費エネルギー量と、乾燥時の環境を示す環境情報とを含む第一情報を取得する取得部と、
前記複数の乾燥手段それぞれについて、
（ａ）当該乾燥手段についての前記第一情報に基づいて、前記標準乾燥能力値を補正することで、当該乾燥手段により前記洗濯物を乾燥させるときの乾燥能力値を推定し、
（ｂ）推定した前記乾燥能力値と、前記洗濯物情報とを用いて、前記洗濯物の乾燥が完了する時刻である乾燥完了予定時刻と、前記乾燥のときの消費エネルギー量とを算出する、処理部と、
前記処理部により算出された、前記複数の乾燥手段それぞれについての前記乾燥完了予定時刻と前記消費エネルギー量との少なくとも一方を提示する出力部とを備える
洗濯物乾燥システム。
【請求項２】
前記処理部は、さらに、
前記複数の乾燥手段それぞれについて、前記洗濯物情報と、当該乾燥手段についての前記第一情報とに基づいて前記標準消費エネルギー量を補正することで、前記消費エネルギー量を算出する
請求項１に記載の洗濯物乾燥システム。
【請求項３】
前記洗濯物情報は、さらに、前記洗濯物の重量、前記洗濯物の体積、及び、前記洗濯物の繊維の種別のいずれかを少なくとも含む
請求項１又は２に記載の洗濯物乾燥システム。
【請求項４】
前記環境情報は、前記複数の乾燥手段それぞれによる乾燥時の環境の温度、湿度、及び、熱貫流量のいずれかを含む
請求項１〜３のいずれか１項に記載の洗濯物乾燥システム。
【請求項５】
前記処理部は、さらに、
前記洗濯物情報をもとに、前記複数の乾燥手段のうちからユーザによって選択された一の乾燥手段での乾燥の完了を早めるように前記一の乾燥手段による乾燥に用いられる機器を制御する制御部を備える
請求項１〜４のいずれか１項に記載の洗濯物乾燥システム。
【請求項６】
前記第一情報は、さらに、前記複数の乾燥手段それぞれによる乾燥に用いられる空間の制約を示す空間制約情報を含み、
前記処理部は、さらに、前記空間制約情報に基づいて、前記洗濯物を前記複数の乾燥手段のうちの１以上の乾燥手段によって乾燥させるための情報を算出する
請求項１〜５のいずれか１項に記載の洗濯物乾燥システム。
【請求項７】
前記第一情報は、さらに、希望時刻であって、前記希望時刻までに前記洗濯物の乾燥が終了することをユーザが希望する希望時刻、又は、前記希望時刻以降に前記洗濯物の乾燥が終了することをユーザが希望する希望時刻を示す時間制約情報を含み、
前記処理部は、さらに、前記複数の乾燥手段のうち、前記時間制約情報を満たす乾燥手段を示す情報をより優先的に前記出力部に提示させる
請求項１〜６のいずれか１項に記載の洗濯物乾燥システム。
【請求項８】
前記環境情報は、前記洗濯終了時刻から前記乾燥完了予定時刻までの時間を少なくとも含む時間帯の気象情報を含み、
前記出力部は、さらに、前記気象情報を提示する
請求項１〜７のいずれか１項に記載の洗濯物乾燥システム。
【請求項９】
洗濯機によって洗濯された洗濯物を乾燥させるための洗濯物乾燥システムによる情報提示方法であって、
前記洗濯物に含まれる水分量を含む洗濯物情報と、前記洗濯が終了する時刻である洗濯終了時刻とを前記洗濯機から受信する通信ステップと、
前記洗濯物を乾燥させ得る複数の乾燥手段それぞれによって前記洗濯物を乾燥させるときの標準乾燥能力値および標準消費エネルギー量と、乾燥時の環境を示す環境情報とを含む第一情報を取得する取得ステップと、
前記複数の乾燥手段それぞれについて、
（ａ）当該乾燥手段についての前記第一情報に基づいて、前記標準乾燥能力値を補正することで、当該乾燥手段により前記洗濯物を乾燥させるときの乾燥能力値を推定し、
（ｂ）推定した前記乾燥能力値と、前記洗濯物情報とを用いて、前記洗濯終了時刻から前記洗濯物を当該乾燥手段によって乾燥し始めたと仮定した場合に、前記乾燥が完了する時刻である乾燥完了予定時刻と、前記乾燥のときの消費エネルギー量とを算出する、処理ステップと、
前記処理ステップにより算出された、前記複数の乾燥手段それぞれについての前記乾燥完了予定時刻と前記消費エネルギー量との少なくとも一方を提示する出力ステップとを含む
情報提示方法。
【発明の詳細な説明】
【技術分野】
【０００１】
本発明は、洗濯物乾燥システム、および、情報提示方法に関する。
【背景技術】
【０００２】
洗濯後の洗濯物を乾燥機、エアコン（空気調和機）、又は、天日干しなどの乾燥手段で乾燥する場合に要する時間及びエネルギーを提示する洗濯乾燥システムが開示されている（特許文献１参照）。
【先行技術文献】
【特許文献】
【０００３】
【特許文献１】特開２００６−２９６９９３号公報
【発明の概要】
【発明が解決しようとする課題】
【０００４】
しかしながら、特許文献１に開示される技術では、洗濯物を乾燥させる環境の考慮が十分でなく、提示される情報に改善の余地がある。
【０００５】
そこで、本発明は、洗濯物を乾燥させる環境に基づく適切な情報を提示する洗濯物乾燥システムなどを提供する。
【課題を解決するための手段】
【０００６】
本発明の一態様に係る洗濯物乾燥システムは、洗濯機によって洗濯された洗濯物を乾燥させるための洗濯物乾燥システムであって、前記洗濯物に含まれる水分量を含む洗濯物情報と、前記洗濯が終了する時刻である洗濯終了時刻とを前記洗濯機から受信する通信部と、前記洗濯物を乾燥させ得る複数の乾燥手段それぞれによって前記洗濯物を乾燥させるときの標準乾燥能力値および標準消費エネルギー量と、乾燥時の環境を示す環境情報とを含む第一情報を取得する取得部と、前記複数の乾燥手段それぞれについて、（ａ）当該乾燥手段についての前記第一情報に基づいて、前記標準乾燥能力値を補正することで、当該乾燥手段により前記洗濯物を乾燥させるときの乾燥能力値を推定し、（ｂ）推定した前記乾燥能力値と、前記洗濯物情報とを用いて、前記洗濯物の乾燥が完了する時刻である乾燥完了予定時刻と、前記乾燥のときの消費エネルギー量とを算出する、処理部と、前記処理部により算出された、前記複数の乾燥手段それぞれについての前記乾燥完了予定時刻と前記消費エネルギー量との少なくとも一方を提示する出力部とを備える。
【０００７】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００８】
本発明の洗濯物乾燥システムは、洗濯物を乾燥させる環境に基づく適切な情報を提示することができる。
【図面の簡単な説明】
【０００９】
【図１】図１は、実施の形態における洗濯物乾燥システムの構成を示すブロック図である。
【図２】図２は、実施の形態における乾燥能力値の補正の方法を示す説明図である。
【図３】図３は、実施の形態における乾燥に要するエネルギー量の補正の方法を示す説明図である。
【図４】図４は、実施の形態における制約条件の取得のための画像の例を示す説明図である。
【図５】図５は、実施の形態における出力部が提示する画像の第一例を示す説明図である。
【図６】図６は、実施の形態における、洗濯物の重量と、乾燥に必要なハンガーの本数との対応を示すテーブルの例を示す説明図である。
【図７】図７は、実施の形態における出力部が提示する画像の第二例を示す説明図である。
【図８】図８は、実施の形態における出力部が提示する画像の第三例を示す説明図である。
【図９】図９は、実施の形態における出力部が提示する画像の第四例を示す説明図である。
【図１０】図１０は、実施の形態における制御部による機器制御の一例を示す説明図である。
【図１１】図１１は、実施の形態における洗濯物乾燥システムが実行する処理を示すフロー図である。
【発明を実施するための形態】
【００１０】
本発明の一態様に係る洗濯物乾燥システムは、洗濯機によって洗濯された洗濯物を乾燥させるための洗濯物乾燥システムであって、前記洗濯物に含まれる水分量を含む洗濯物情報と、前記洗濯が終了する時刻である洗濯終了時刻とを前記洗濯機から受信する通信部と、前記洗濯物を乾燥させ得る複数の乾燥手段それぞれによって前記洗濯物を乾燥させるときの標準乾燥能力値および標準消費エネルギー量と、乾燥時の環境を示す環境情報とを含む第一情報を取得する取得部と、前記複数の乾燥手段それぞれについて、（ａ）当該乾燥手段についての前記第一情報に基づいて、前記標準乾燥能力値を補正することで、当該乾燥手段により前記洗濯物を乾燥させるときの乾燥能力値を推定し、（ｂ）推定した前記乾燥能力値と、前記洗濯物情報とを用いて、前記洗濯物の乾燥が完了する時刻である乾燥完了予定時刻と、前記乾燥のときの消費エネルギー量とを算出する、処理部と、前記処理部により算出された、前記複数の乾燥手段それぞれについての前記乾燥完了予定時刻と前記消費エネルギー量との少なくとも一方を提示する出力部とを備える。
【００１１】
上記態様によれば、洗濯物乾燥システムは、乾燥時の環境を考慮して補正された乾燥能力値を用いて、乾燥完了予定時刻と、乾燥に要するエネルギー量とを算出する。このとき乾燥能力値から補正された上記値を用いるので、算出される乾燥完了予定時刻と、乾燥に要するエネルギー量とは、洗濯物を乾燥させる実際の環境を考慮した値になっている。よって、洗濯物乾燥システムは、洗濯物を乾燥させる環境に基づく適切な情報を提示することができる。ユーザは、提示された情報に基づいて、洗濯物を乾燥させる環境を考慮して洗濯物の干し方を検討し、洗濯物を適切に乾燥させることができる。
【００１２】
例えば、前記処理部は、さらに、前記複数の乾燥手段それぞれについて、前記洗濯物情報と、当該乾燥手段についての前記第一情報とに基づいて前記標準消費エネルギー量を補正することで、前記消費エネルギー量を算出してもよい。
【００１３】
上記態様によれば、洗濯物乾燥システムは、乾燥時の環境を考慮して補正された消費エネルギー量をさらに用いて、乾燥完了予定時刻と、乾燥に要するエネルギー量とを算出する。消費エネルギー量の標準値を用いるのではなく、上記のように補正された値を用いるので、算出される乾燥完了予定時刻と、乾燥に要するエネルギー量とは、洗濯物を乾燥させる実際の環境をより一層考慮した値になっている。よって、洗濯物乾燥システムは、洗濯物を乾燥させる環境に基づく適切な情報を提示することができる。
【００１４】
例えば、前記洗濯物情報は、さらに、前記洗濯物の重量、前記洗濯物の体積、及び、前記洗濯物の繊維の種別のいずれかを少なくとも含んでもよい。
【００１５】
上記態様によれば、洗濯物乾燥システムは、洗濯物情報に含まれる、洗濯物の重量、洗濯物の体積、洗濯物の繊維の種別のいずれかの情報を用いて、より容易に、乾燥完了予定時刻と消費エネルギー量を算出できる。よって、洗濯物乾燥システムは、より容易に、洗濯物を乾燥させる環境に基づく適切な情報を提示することができる。
【００１６】
例えば、前記環境情報は、前記複数の乾燥手段それぞれによる乾燥時の環境の温度、湿度、及び、熱貫流量のいずれかを含んでもよい。
【００１７】
上記態様によれば、洗濯物乾燥システムは、環境情報に含まれる、環境の温度、湿度、及び、熱貫流量のいずれかの情報を用いて、より容易に、乾燥手段によって洗濯物を乾燥させるときの乾燥能力値を推定する。よって、洗濯物乾燥システムは、より容易に、洗濯物を乾燥させる環境に基づく適切な情報を提示することができる。
【００１８】
例えば、前記処理部は、さらに、前記洗濯物情報をもとに、前記複数の乾燥手段のうちからユーザによって選択された一の乾燥手段での乾燥の完了を早めるように前記一の乾燥手段による乾燥に用いられる機器を制御する制御部を備えてもよい。
【００１９】
上記態様によれば、洗濯物乾燥システムは、乾燥手段による洗濯物の乾燥に用いられる機器を制御することで、洗濯物の乾燥を早めることができる。よって、洗濯物乾燥システムは、洗濯物の乾燥を早めながら、洗濯物を乾燥させる環境に基づく適切な情報を提示することができる。
【００２０】
例えば、前記第一情報は、さらに、前記複数の乾燥手段それぞれによる乾燥に用いられる空間の制約を示す空間制約情報を含み、前記処理部は、さらに、前記空間制約情報に基づいて、前記洗濯物を前記複数の乾燥手段のうちの１以上の乾燥手段によって乾燥させるための情報を算出してもよい。
【００２１】
上記態様によれば、洗濯物乾燥システムは、乾燥手段による洗濯物の乾燥に用いられる空間の制約を考慮して、洗濯物の乾燥についての情報を提示する。このように乾燥手段による洗濯物の乾燥に用いられる空間の制約が考慮されるので、その乾燥手段を用いた場合に空間的な制約により洗濯物の乾燥が適切になされないことを回避できる。よって、洗濯物乾燥システムは、乾燥手段による乾燥に用いられる空間の制約を加味して、洗濯物を乾燥させる環境に基づく適切な情報を提示することができる。
【００２２】
例えば、前記第一情報は、さらに、希望時刻であって、前記希望時刻までに前記洗濯物の乾燥が終了することをユーザが希望する希望時刻、又は、前記希望時刻以降に前記洗濯物の乾燥が終了することをユーザが希望する希望時刻を示す時間制約情報を含み、前記処理部は、さらに、前記複数の乾燥手段のうち、前記時間制約情報を満たす乾燥手段を示す情報をより優先的に前記出力部に提示させてもよい。
【００２３】
上記態様によれば、洗濯物乾燥システムは、洗濯物の乾燥に関してユーザが希望する時刻に関する制約を考慮して、洗濯物の乾燥についての情報を提示する。このように時間に関する制約が考慮されるので、ユーザの希望に反して、洗濯物が乾燥された、又は、乾燥されていないという結果が生ずることを回避できる。よって、洗濯物乾燥システムは、乾燥手段による乾燥についてユーザの時間の希望又は制約を加味して、洗濯物を乾燥させる環境に基づく適切な情報を提示することができる。
【００２４】
例えば、前記環境情報は、前記洗濯終了時刻から前記乾燥完了予定時刻までの時間を少なくとも含む時間帯の気象情報を含み、前記出力部は、さらに、前記気象情報を提示してもよい。
【００２５】
上記態様によれば、洗濯物乾燥システムは、洗濯物の乾燥に際して、洗濯物の乾燥に要する時間帯の気象情報をユーザに提示するので、ユーザは、上記時間帯における気象情報を知ることができ、乾燥手段の選択に活用することができる。よって、洗濯物乾燥システムは、気象情報を加味して、洗濯物を乾燥させる環境に基づく適切な情報を提示することができる。
【００２６】
また、本発明の一態様に係る情報提示方法は、洗濯機によって洗濯された洗濯物を乾燥させるための洗濯物乾燥システムによる情報提示方法であって、前記洗濯物に含まれる水分量を含む洗濯物情報と、前記洗濯が終了する時刻である洗濯終了時刻とを前記洗濯機から受信する通信ステップと、前記洗濯物を乾燥させ得る複数の乾燥手段それぞれによって前記洗濯物を乾燥させるときの標準乾燥能力値および標準消費エネルギー量と、乾燥時の環境を示す環境情報とを含む第一情報を取得する取得ステップと、前記複数の乾燥手段それぞれについて、（ａ）当該乾燥手段についての前記第一情報に基づいて、前記標準乾燥能力値を補正することで、当該乾燥手段により前記洗濯物を乾燥させるときの乾燥能力値を推定し、（ｂ）推定した前記乾燥能力値と、前記洗濯物情報とを用いて、前記洗濯終了時刻から前記洗濯物を当該乾燥手段によって乾燥し始めたと仮定した場合に、前記乾燥が完了する時刻である乾燥完了予定時刻と、前記乾燥のときの消費エネルギー量とを算出する、処理ステップと、前記処理ステップにより算出された、前記複数の乾燥手段それぞれについての前記乾燥完了予定時刻と前記消費エネルギー量との少なくとも一方を提示する出力ステップとを含む。
【００２７】
上記態様により、上記洗濯物乾燥システムと同様の効果を奏する。
【００２８】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００２９】
以下、実施の形態について、図面を参照しながら具体的に説明する。
【００３０】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３１】
（実施の形態）
本実施の形態において、洗濯物を乾燥させる環境に基づく適切な情報を提示する洗濯物乾燥システムなどについて説明する。本実地の形態の洗濯物乾燥システムは、洗濯機により洗濯された洗濯物を乾燥させるための複数の乾燥手段があり得る場合に、どの乾燥手段を選択するのが適切であるかをユーザに提示する。
【００３２】
なお、複数の乾燥手段とは、乾燥のための電気機器を用いて、または、用いずに、洗濯物を乾燥させる手段を意味し、例えば、乾燥機により乾燥させるという乾燥手段、浴室内に洗濯物を干して浴室乾燥機により乾燥させるという乾燥手段、リビングなどの室内に洗濯物を干して除湿機又はエアコンにより除湿するという乾燥手段、又は、洗濯物を干して日光又は外気に曝す天日干しの乾燥手段などがあり得る。また、一の機器が複数の動作モードを有する場合には、複数の動作モードそれぞれに対応する乾燥手段を設けてもよい。例えば、浴室乾燥機の動作モードとしてエコモードと通常モードとがある場合、エコモードを用いて洗濯物を乾燥させるという乾燥手段と、通常モードを用いて洗濯物を乾燥させるという乾燥手段とがあり得る。なお、選択される乾燥手段の個数は、１つ以上であることが想定される。
【００３３】
図１は、本実施の形態における洗濯物乾燥システム１の構成を示すブロック図である。
【００３４】
図１に示されるように、洗濯物乾燥システム１は、洗濯機１０と、通信部１３と、取得部１４と、処理部１５と、出力部１６とを備える。洗濯物乾燥システム１は、さらに、制御部１７を備えてもよい。
【００３５】
洗濯機１０は、洗濯物を選択する装置である。洗濯機１０は、洗濯槽（不図示）を備え、洗濯槽内で洗剤を用いて洗濯物を洗濯する。
【００３６】
洗濯機１０は、取得部１１と通信部１２とを有する。
【００３７】
取得部１１は、洗濯物に含まれる水分量を含む洗濯物情報と、洗濯が終了する時刻である洗濯終了時刻とを取得する。上記の洗濯物は、洗濯機１０による洗濯が終了した時点、より具体的には、洗濯の最終工程（例えば脱水）が終了した時点における洗濯物を意味する。
【００３８】
洗濯物に含まれる水分量は、上記時点における洗濯物の重量から、当該洗濯物が乾いているときの重量を差し引くことで算出され得る。「洗濯物が乾いているときの重量」は、洗濯前の洗濯物の重量に概ね等しいので、洗濯機１０が重量センサを備えている場合には、洗濯前にその重量センサにより計測され得る。
【００３９】
なお、洗濯物に含まれる水分量は、洗濯物の洗濯前の重量から推定される、洗濯物の種別から推定されることも可能である。例えば、取得部１１は、予め、洗濯物の洗濯前の重量と、その重量の洗濯物の推定される種別との対応を保有しておき、実際の洗濯物の重量から洗濯物の種別を推定することで、洗濯物に含まれる水分量を推定することができる。例えば、洗濯物の洗濯前の重量が２ｋｇである場合には、家族構成などを考慮して、洗濯物の推定される種別として、「ワイシャツ１枚、パジャマ１セット、木綿シャツ２枚、パンツ４枚、靴下２足、枕カバー１枚、トレーニングウェア１セット」が対応付けられている。この場合、取得部１１が洗濯前に取得した洗濯物の重量が２ｋｇであれば、その洗濯物は、上記の「ワイシャツ１枚、パジャマの上下セット１セット、木綿シャツ２枚、パンツ４枚、靴下２足、枕カバー１枚、トレーニングウェアの上下セット１セット」であると推定され、これらに含まれ得る水分量に基づいて、洗濯物の水分量が推定され得る。
【００４０】
ここで、洗濯物の種別の取得は、洗濯物を撮影した画像から画像認識処理に基づいてなされてもよい。例えば、取得部１１は、洗濯物を洗濯槽に入れるときに洗濯物を撮影した画像から、「ワイシャツ１枚」、「パジャマの上」、「パジャマの下」などの洗濯物の種別を取得する。
【００４１】
洗濯終了時刻は、洗濯に係る一連の工程（洗い、すすぎ、脱水など）が終了する時刻を意味する。洗濯機１０は、一般に、ユーザにより設定された洗濯コースに従って洗濯をするので、洗濯をする前であれば、洗濯の開始予定時刻に上記一連の工程に要する時間を加算することで洗濯終了時刻が算出される。洗濯を実行している最中には、現時点で実行している工程に基づいて、現時点以降に実行する工程に要する所要時間を算定し、その所要時間を現時点に加算することで洗濯終了時刻が算出される。
【００４２】
なお、洗濯物情報は、さらに、洗濯物の重量、洗濯物の体積、及び、洗濯物の繊維の種別のいずれかを少なくとも含んでもよい。
【００４３】
通信部１２は、通信部１３と通信可能に接続される通信インタフェースである。通信部１２は、取得部１１が取得した洗濯物情報と洗濯終了時刻とを通信部１３に送信する。通信部１２の通信規格は、携帯電話回線、Ｗｉ−Ｆｉ（登録商標）又はＮＦＣ（Ｎｅａｒ  Ｆｉｅｌｄ  Ｃｏｍｍｕｎｉｃａｔｉｏｎ）などの近距離無線通信である。通信部１２と通信部１３とは、通信線で直接に接続されてもよいし、ネットワークを介して接続されていてもよい。
【００４４】
通信部１３と、通信部１２と通信可能に接続される通信インタフェースである。通信部１３は、通信部１２が送信した洗濯物情報と洗濯終了時刻とを受信して、処理部１５に提供する。通信部１３の通信規格は、携帯電話回線、Ｗｉ−Ｆｉ（登録商標）又はＮＦＣなどの近距離無線通信である。
【００４５】
取得部１４は、標準乾燥能力値および標準消費エネルギー量と、乾燥時の環境を示す環境情報とを取得する。ここで、標準乾燥能力値および標準消費エネルギー量は、それぞれ、洗濯物を乾燥させ得る複数の乾燥手段それぞれによって洗濯物を乾燥させるときの標準的な乾燥能力値、および、標準的な消費エネルギー量である。乾燥能力値は、例えば、当該乾燥手段によって単位時間当たりに除去できる水分量［リットル／時］によって表現され得る。標準乾燥能力値は、定格乾燥能力値であり、例えば製品カタログに掲載される値（いわゆるカタログ値）である。
【００４６】
また、消費エネルギー量は、例えば、当該乾燥手段で用いられる機器の単位時間当たりの消費エネルギー量［Ｗ］によって表現され得る。標準消費エネルギー量は、定格消費エネルギー量であり、例えば製品カタログに掲載される値（いわゆるカタログ値）である。
【００４７】
また、環境情報は、当該乾燥手段による乾燥をする場所の環境を示す情報であり、例えば、その場所の温度、湿度、日射量、及び、その場所を囲む壁材の熱貫流量である。
【００４８】
なお、標準乾燥能力値、標準消費エネルギー量、および、環境情報は、第一情報に含まれる。
【００４９】
なお、第一情報には、さらに、空間制約情報または時間制約情報が含まれ得る。空間制約情報は、複数の乾燥手段それぞれによる乾燥に用いられる空間の制約を示す情報である。この場合、処理部１５は、さらに、空間制約情報に基づいて、洗濯物を複数の乾燥手段のうちの１以上の乾燥手段によって乾燥させるための情報を算出する。
【００５０】
また、時間制約情報は、洗濯物の乾燥が終了することをユーザが希望する希望時刻を示す情報である。この場合、処理部１５は、時間制約情報に基づいて、複数の乾燥手段のうち、洗濯物の乾燥を希望時刻までに終えることができる乾燥手段を示す情報を、より優先的に出力部１６に提示させる。
【００５１】
処理部１５は、複数の乾燥手段で洗濯物を乾燥させる場合の乾燥完了予定時刻と、乾燥のときの消費エネルギー量とを算出する。具体的には、処理部１５は、複数の乾燥手段それぞれについて、当該乾燥手段についての第一情報に基づいて、標準乾燥能力値を補正することで、当該乾燥手段により洗濯物を乾燥させるときの乾燥能力値を推定する。そして、処理部１５は、推定した乾燥能力値と、洗濯物情報とを用いて、洗濯終了時刻から洗濯物を当該乾燥手段によって乾燥し始めたと仮定した場合に、乾燥が完了する時刻である乾燥完了予定時刻と、乾燥のときの消費エネルギー量とを算出する。
【００５２】
ここで、処理部１５は、乾燥をする場所の温度又は湿度に対する、乾燥能力値および消費エネルギー量の関係が既知である場合に、上記関係に基づく補正により、乾燥能力値を推定する。また、乾燥をする場所を囲む壁材の熱貫流量に対する、乾燥能力値および消費エネルギー量の関係が既知である場合にも同様である。
【００５３】
また、処理部１５は、洗濯物情報に含まれている洗濯物に含まれる水分を、乾燥手段によって乾燥させるのに要する所要時間を、乾燥能力値を用いて算出する。そして、算出した所要時間を、洗濯終了時刻に加算することで、乾燥完了予定時刻を算出する。また、処理部１５は、乾燥の電気機器の単位時間当たりの消費電力と上記所要時間とから、乾燥のときの消費エネルギー量を算出する。
【００５４】
なお、洗濯物情報に洗濯物の重量又は体積が含まれている場合には、処理部１５は、例えば、その重量又は体積が大きいほど、上記所要時間を長くするように補正してもよい。また、洗濯物情報に洗濯物の繊維の種別が含まれている場合には、処理部１５は、例えば、乾燥しにくい繊維が多く含まれているほど、上記所要時間を長くするように補正してもよい。
【００５５】
また、処理部１５は、さらに、複数の乾燥手段それぞれについて、洗濯物情報と、当該乾燥手段についての第一情報とに基づいて標準消費エネルギー量を補正することで、消費エネルギー量を算出してもよい。
【００５６】
出力部１６は、処理部１５により算出された、複数の乾燥手段それぞれについての乾燥完了予定時刻と消費エネルギー量との少なくとも一方を提示する。出力部１６は、例えば、洗濯物乾燥システム１が備える表示画面（不図示）、または、洗濯物乾燥システム１に接続された情報端末（例えばユーザのスマートフォン、携帯電話またはパーソナルコンピュータなど）に、上記の乾燥完了予定時刻と消費エネルギー量との少なくとも一方を画像として提示する。なお、提示の仕方は上記に限られず、音声出力などでもよい。
【００５７】
制御部１７は、洗濯物情報をもとに、複数の乾燥手段のうちからユーザによって選択された一の乾燥手段での乾燥の完了を早めるように一の乾燥手段による乾燥に用いられる機器を制御する。例えば、乾燥手段が、除湿機による除湿を利用した乾燥手段である場合には、制御部１７は、その乾燥に用いられる機器である除湿機の風量を上げる、又は、除湿機が出力する風が洗濯物に向かうように風向を変更する、などの制御をする。洗濯物に風が向かうようにするには、除湿機の周囲の温度分布を示すサーモグラフィを取得し、取得したサーモグラフィに基づいて除湿機から見てどの方向に洗濯物が存在しているかを検出し、洗濯物が存在している方向に風が向かうように除湿機のルーバーの角度を調整するように、制御部１７が除湿機を制御する。
【００５８】
なお、環境情報は、洗濯終了時刻から乾燥完了予定時刻までの時間を少なくとも含む時間帯の気象情報を含んでもよい。この場合、出力部１６は、さらに、気象情報を提示する。なお、気象情報は、例えば、地域降水確率情報、花粉、微粒子（ＰＭ２．５など）又は汚染物質の飛散量の情報を含み得る。また、気象情報は、上記情報の単位時間（例えば１時間〜３時間程度）ごとに示す情報であってもよい。
【００５９】
図２は、本実施の形態における乾燥能力値の補正の方法を示す説明図である。図２を参照しながら、処理部１５が標準乾燥能力値を補正することで乾燥能力値を推定する処理を説明する。
【００６０】
図２は、乾燥手段の一例である除湿機の乾燥能力値を、温度ごとに示すグラフである。図２に示されるグラフは、乾燥をする場所の温度に対する乾燥能力値の関係が既知である場合の上記関係を示したものである。温度の代わりに、乾燥をする場所の湿度、乾燥をする場所を囲む壁材の熱貫流量を用いることもできる。
【００６１】
図２に示されるグラフでは、温度が高いほど、乾燥能力値がより高いことが示されている。なお、図２に示される乾燥能力値の温度特性は、あくまで一例であり、これとは異なる温度特性を有することもある。
【００６２】
図２において、標準的な温度ＴＳ（例えば２０度Ｃ）における乾燥能力値が、標準乾燥能力値ＤＳに対応している。処理部１５は、取得部１４が取得した第一情報に含まれる、現在の温度ＴＮにおける乾燥能力値ＤＮを、上記グラフから得る。
【００６３】
このようにして、処理部１５は、乾燥手段による乾燥に用いられる電気機器の現在の乾燥能力値を算出する。
【００６４】
図３は、本実施の形態における乾燥に要するエネルギー量の補正の方法を示す説明図である。図３を参照しながら、処理部１５が標準消費エネルギー量を補正することで消費エネルギー量を推定する処理を説明する。
【００６５】
図３は、乾燥手段の一例である除湿機の消費エネルギー量を、温度ごとに示すグラフである。図３に示されるグラフは、乾燥をする場所の温度に対する消費エネルギー量の関係が既知である場合の上記関係を示したものである。温度の代わりに、乾燥をする場所の湿度、乾燥をする場所を囲む壁材の熱貫流量を用いることもできる。
【００６６】
図３に示されるグラフでは、温度が高いほど、消費エネルギー量がより高いことが示されている。なお、図３に示される消費エネルギー量の温度特性は、あくまで一例であり、これとは異なる温度特性を有することもある。
【００６７】
図３において、標準的な温度ＴＳ（例えば２０度Ｃ）における消費エネルギー量が、標準消費エネルギー量ＥＳに対応している。処理部１５は、取得部１４が取得した第一情報に含まれる、現在の温度ＴＮにおける消費エネルギー量ＥＮを、上記グラフから得る。
【００６８】
このようにして、処理部１５は、乾燥手段による乾燥に用いられる電気機器の現在の消費エネルギー量を算出する。
【００６９】
図４は、本実施の形態における制約条件の取得のための画像３０の例を示す説明図である。
【００７０】
図４に示されるように画像３０は、複数の乾燥手段を提示するときの設定をユーザから受け付けるための画像３２、３３、３４および３５を含む。
【００７１】
画像３２は、複数の乾燥手段を提示するときに、希望終了時刻を考慮するか否かについての設定を受け付けるための画像である。画像３２には、希望終了時刻の設定とともに、その時刻までに乾燥を終了させることをユーザが希望するのか、または、その時刻以降に乾燥が終了することをユーザが希望するのかを示すボタンも含まれている。
【００７２】
画像３３は、複数の乾燥手段を提示するときに、節電の効果がより大きな乾燥手段を優先して提示するか否かについての設定を受け付けるための画像である。
【００７３】
画像３４は、複数の乾燥手段を提示するときに、天候を考慮するか否かについての設定を受け付けるための画像である。
【００７４】
画像３５は、複数の乾燥手段を提示するときに、乾燥に用いられるスペース（空間）の大きさを考慮して提示するか否かについての設定を受け付けるための画像である。
【００７５】
図５は、本実施の形態における出力部１６が提示する画像４０の第一例を示す説明図である。
【００７６】
図５に示されるように、画像４０は、複数の乾燥手段それぞれについての乾燥完了予定時刻と消費電力とを示す画像４１、４２、４３、４４および４５と、気象情報詳細の表示のためのボタン４６と、ページ操作のためのボタン４７および４８とを含む。消費電力は、消費エネルギー量の一例である。
【００７７】
例えば、画像４１は、乾燥手段の１つである、乾燥機を用いて洗濯物を乾燥させるという乾燥手段を選択した場合の乾燥完了予定時刻が１３時４０分であり、その乾燥の用いられる電気機器である乾燥機の消費電力量が２．９ｋＷｈであることを示している。また、画像４２は、乾燥手段の１つである、浴室乾燥機をエコモードで動作させて洗濯物を乾燥させるという乾燥手段を選択した場合の乾燥完了予定時刻が１６時１０分であり、その乾燥に用いられる電気機器である浴室乾燥機の消費電力量が０．８ｋＷｈであることを示している。
【００７８】
また、画像４５は、乾燥手段の１つである天日干しにより洗濯物を乾燥させる場合についての画像である。天日干しの場合の乾燥完了予定時刻は、屋外の温度、湿度または風量などにより比較的大きく変動し得るので、不定であることを示す記号「−」が表示される。また、天日干しの乾燥手段には電気機器が用いられないので、消費電力量はゼロである。
【００７９】
なお、環境情報が地域降水確率情報を含む場合、天日干しに係る画像４５に、「１４：００より雨」というように、降水が予想される時間を示す情報を含めてもよい。
【００８０】
なお、電気機器を用いる乾燥手段の場合には、画像４１が、電気機器の制御のためのボタンを兼ねてもよい。すなわち、画像４１などに対するユーザによる操作がなされたときに、制御部１７が、当該電気機器の稼働を開始する制御をしてもよい。例えば、洗濯機１０が乾燥機能をあわせもつ場合、洗濯終了時点で洗濯槽に洗濯物が格納された状態、つまり乾燥を開始できる状態になっているので、乾燥機の画像４１を操作することで乾燥を開始するように乾燥機を制御してもよい。
【００８１】
ボタン４６は、気象情報の詳細を表示させるためのボタンを示す画像である。ボタン４６に対するユーザによる操作を受け付けると、出力部１６は、取得部１４が取得した気象情報の詳細を表示する。
【００８２】
ボタン４７および４８は、ページ操作のためのボタンを示す画像である。複数の乾燥手段の個数が比較的多くて一度に表示画面に表示しきれない場合には、複数の乾燥手段の画像が複数のページに分けて表示される。そのとき、ボタン４７に対するユーザの操作を受け付けると出力部１６は、現在表示しているページの前のページを表示し、ボタン４８に対するユーザの操作を受け付けると出力部１６は、現在表示しているページの次のページを表示する。
【００８３】
このように、出力部１６が示す画像によって、洗濯物を乾燥させることができる乾燥手段の候補が提示される。ユーザは、提示された乾燥手段の候補を視認し、その候補のうちのいずれかの乾燥手段を選択したり、その候補を参考にして自身で検討したりして、洗濯物を適切に乾燥させることができる。
【００８４】
次に、乾燥手段について空間的な制約がある場合について説明する。例えば、浴室内または室内で洗濯物を干すことで乾燥させる、又は、天日干しで乾燥させる場合、当該空間の容積の制約、または、物干し竿の長さの制約、つまり空間的な制約によって、干せる洗濯物の個数が制限される。このような場合における洗濯物乾燥システム１の処理について説明する。
【００８５】
図６は、本実施の形態における、洗濯物の重量と、乾燥に必要なハンガーの本数との対応を示すテーブルの例を示す説明図である。
【００８６】
洗濯機１０の取得部１１は、洗濯物の洗濯前の重量を取得し、通信部１２及び１３を介して処理部１５に提供する。処理部１５は、洗濯物の洗濯前の重量に基づいて、洗濯物を干すときに必要な空間の容積を推定する。空間の容積は、例えば、物干し竿に一定間隔（例えば、５ｃｍ〜２０ｃｍ程度以上）でハンガーをかけることが想定される場合、ハンガーの本数で表現され得る。
【００８７】
例えば、処理部１５は、洗濯物の洗濯前の重量と、その重量を有する洗濯物を干すのに必要なハンガーの本数とを対応付けて保持している。このような対応付けの例を表として示したのが図６である。
【００８８】
処理部１５は、例えば、洗濯物の洗濯前の重量が２ｋｇであれば１４本のハンガーが必要であると推定でき、洗濯物の洗濯前の重量が３ｋｇであれば１７本のハンガーが必要であると推定できる。なお、洗濯物の洗濯前の重量が表に示されていなくても、その重量の前後の重量とハンガーの本数とを補間することで以下の（式１）によりハンガーの本数を推定できる。
【００８９】
必要なハンガーの本数＝（１７−１４）×｛（重量−２）／（３−２）｝＋１４
（式１）
【００９０】
そして、処理部１５は、複数の乾燥手段について、乾燥に必要な空間の容積と、ハンガーをかけるのに必要な空間の容積との大小を判定する。処理部１５は、乾燥に必要な空間の容積より、必要なハンガーをかけるのに必要な空間の容積が大きいと判定した場合には、乾燥完了予定時刻及び消費エネルギー量の算出の際に、その乾燥手段を除外したり、その乾燥手段と他の乾燥手段との両方を利用して洗濯物を乾燥させるとして算出をしたりする。また、処理部１５は、出力部１６が乾燥完了予定時刻又は消費エネルギー量を提示するときに、「乾燥に必要な空間の容積より、必要なハンガーをかけるのに必要な空間の容積が大きい」ことを示す情報を提示させてもよい。
【００９１】
図７は、本実施の形態における出力部１６が提示する画像の第二例である画像５０を示す説明図である。ここでは、洗濯前の洗濯物の重量が２．４ｋｇであったことから、以下の（式２）ように必要なハンガーの本数が１５本であると推定されたとして説明する。
【００９２】
必要なハンガーの本数＝（１７−１４）×｛（２．４−２）／（３−２）｝＋１４
≒１５
（式２）
【００９３】
画像５０は、空間的な制約を考慮した場合の洗濯物の乾燥手段を示す画像５２、５３および５４を含む。
【００９４】
画像５２は、洗濯物の乾燥手段として、すべての洗濯物を天日干しにより乾燥させることを示す画像である。
【００９５】
画像５３は、洗濯物の乾燥手段として、洗濯物のうちハンガー１０本分の洗濯物をリビングに干して乾燥させるともに、ハンガー５本分の洗濯物を浴室に干して乾燥させることを示す画像である。
【００９６】
画像５４は、洗濯物の乾燥手段として、すべての洗濯物を乾燥機で乾燥させることを示す画像である。
【００９７】
このように、出力部１６が示す画像によって、空間的な制約がある場合に洗濯物を乾燥させることができる乾燥手段の候補が提示される。ユーザは、提示された乾燥手段の候補を視認し、その候補のうちのいずれかの乾燥手段を選択したり、その候補を参考にして自身で検討したりして、洗濯物を適切に乾燥させることができる。
【００９８】
図８は、本実施の形態における出力部１６が提示する画像の第三例である画像６０を示す説明図である。図８に示されるように、画像６０は、複数の乾燥手段それぞれについての乾燥完了予定時刻、消費電力などを一覧として示す画像である。
【００９９】
画像６０には、複数の乾燥手段それぞれについての名称６１と、動作モード６２と、乾燥完了予定時刻６３と、消費電力６４と、備考６５とが示されている。
【０１００】
名称６１は、当該乾燥手段の名称を示しており、ユーザが当該乾燥手段を認識できるように他と区別し得る文字列である。
【０１０１】
動作モード６２は、当該乾燥手段が電気機器を用いる場合、その電気機器の動作モードを示す。
【０１０２】
乾燥完了予定時刻６３は、当該乾燥手段により洗濯物を乾燥する場合に乾燥が完了する時刻を示す。
【０１０３】
消費電力６４は、当該乾燥手段により洗濯物を乾燥する場合に乾燥に必要な消費電力量を示す。
【０１０４】
備考６５は、当該乾燥手段により洗濯物を乾燥する場合の留意事項などを示す。具体的には、空間的な制約によって洗濯物を干す十分なスペースがない場合には、「干し幅が足りません」、又は、「ハンガー５本分だけ干す場合の情報です」のような情報が表示され得る。なお、洗濯物の種別により、当該乾燥手段による乾燥の仕方が適さない場合にはその旨の表示を含んでもよい。例えば、洗濯物にセーターが含まれている場合、乾燥機による乾燥の欄には、「セーターが含まれているので適しません」との旨を表示させてもよい。
【０１０５】
なお、乾燥完了予定時刻６３及び消費電力６４の各欄はソート可能であってもよい。その場合、ソート可能であることがユーザにわかるように記号（例えば図８に示される白抜き下向き三角形の記号）が付されていてもよい。
【０１０６】
図９は、本実施の形態における出力部１６が提示する画像の第四例である画像６９を示す説明図である。画像６９は、空間的な制約により洗濯物の全部を１つの乾燥手段により乾燥させることができない場合に、複数の乾燥手段により乾燥させる場合の表示の例である。
【０１０７】
画像６９は、リビングにハンガー１０本分の洗濯物を干して除湿機を通常モードで動作させて乾燥させるとともに、脱衣所にハンガー５本分の洗濯物を干して除湿機を通常モードで動作させて乾燥させる場合の表示の例を示している。この場合、備考６５には、各乾燥手段により乾燥させる洗濯物の量の目安として、「ハンガー１０本分」の文字が示されている。
【０１０８】
次に、制御部１７による機器制御の例を示す。ここでは、制御部１７が、乾燥に用いられる機器として、風向の制御が可能である除湿機Ｄを制御する例を示す。
【０１０９】
図１０は、実施の形態における制御部１７による機器制御の一例を示す説明図である。
【０１１０】
除湿機Ｄは、除湿機Ｄの周囲の温度分布を示すサーモグラフィを取得し、取得したサーモグラフィを制御部１７に送信する。制御部１７は、送信されたサーモグラフィに基づいて除湿機Ｄから見てどの方向に洗濯物が存在しているかを検出する。そして、制御部１７は、除湿機Ｄが出力する風が洗濯物が存在している方向に向かうように、除湿機Ｄが備えるルーバーの角度を調整する制御をする。
【０１１１】
その結果、図１０の（ａ）に示されるように、洗濯物が物干し竿の一部（図１０の（ａ）における左側）だけに存在している場合には、除湿機Ｄから見て洗濯物が存在している方向Ａに風Ｗが向かうようにルーバーの角度を調整する制御がなされる。
【０１１２】
また、図１０の（ｂ）に示されるように、洗濯物が物干し竿の全体に存在している場合には、除湿機Ｄから見て洗濯物が存在している方向Ａに風Ｗが向かうようにルーバーの角度を調整する制御がなされる。例えば、除湿機Ｄから見て方向Ａの全体に向けて幅広の風Ｗを出力するようにルーバーの角度を調整する。また、ルーバーの角度を時間的に変化させることで、幅が比較的狭い風Ｗをスウィングさせて、洗濯物全体にまんべんなく風Ｗが向かうようにしてもよい。
【０１１３】
以上のように構成された洗濯物乾燥システム１が実行する処理について説明する。
【０１１４】
図１１は、本実施の形態における洗濯物乾燥システム１が実行する処理を示すフロー図である。
【０１１５】
ステップＳ１０１（通信ステップ）において、通信部１３は、洗濯物に含まれる水分量を含む洗濯物情報と、洗濯が終了する時刻である洗濯終了時刻とを洗濯機１０から受信する。
【０１１６】
ステップＳ１０２（取得ステップ）において、取得部１４は、洗濯物を乾燥させ得る複数の乾燥手段それぞれによって洗濯物を乾燥させるときの標準乾燥能力値および標準消費エネルギー量と、乾燥時の環境を示す環境情報とを含む第一情報を取得する。
【０１１７】
ステップＳ１０３において、処理部１５は、複数の乾燥手段それぞれについて、当該乾燥手段についての第一情報とに基づいて、標準乾燥能力値を補正することで、当該乾燥手段により洗濯物を乾燥させるときの乾燥能力値を推定する。
【０１１８】
ステップＳ１０４において、処理部１５は、ステップＳ１０３での推定に基づいて、複数の乾燥手段で洗濯物を乾燥させる場合の乾燥完了予定時刻と、乾燥のときの消費エネルギー量とを算出する。ステップＳ１０３及びＳ１０４は、処理ステップに相当する。
【０１１９】
ステップＳ１０５（出力ステップ）において、出力部１６は、処理部１５により算出された、複数の乾燥手段それぞれについての乾燥完了予定時刻と消費エネルギー量との少なくとも一方を提示する。
【０１２０】
ステップＳ１０６において、制御部１７は、洗濯物情報をもとに、複数の乾燥手段のうちからユーザによって選択された一の乾燥手段での乾燥の完了を早めるように一の乾燥手段による乾燥に用いられる機器を制御する。なお、ステップＳ１０６は行われなくてもよい。
【０１２１】
以上の一連の処理によって、洗濯物乾燥システム１は、洗濯物を乾燥させる環境に基づく適切な情報を提示することができる。
【０１２２】
以上のように、本実施の形態に係る洗濯物乾燥システムは、乾燥時の環境を考慮して補正された乾燥能力値を用いて乾燥完了予定時刻と、乾燥に要するエネルギー量とを算出する。このとき乾燥能力値から補正された上記値を用いるので、算出される乾燥完了予定時刻と、乾燥に要するエネルギー量とは、洗濯物を乾燥させる実際の環境を考慮した値になっている。よって、洗濯物乾燥システムは、洗濯物を乾燥させる環境に基づく適切な情報を提示することができる。ユーザは、提示された情報に基づいて、洗濯物を乾燥させる環境に基づいて、洗濯物の干し方を検討し、洗濯物を適切に乾燥させることができる。
【０１２３】
また、洗濯物乾燥システムは、乾燥時の環境を考慮して補正された消費エネルギー量をさらに用いて乾燥完了予定時刻と、乾燥に要するエネルギー量とを算出する。消費エネルギー量の標準値を用いるのではなく、上記のように補正された値を用いるので、算出される乾燥完了予定時刻と、乾燥に要するエネルギー量とは、洗濯物を乾燥させる実際の環境をより一層考慮した値になっている。よって、洗濯物乾燥システムは、洗濯物を乾燥させる環境に基づく適切な情報を提示することができる。
【０１２４】
また、洗濯物乾燥システムは、洗濯物情報に含まれる、洗濯物の重量、洗濯物の体積、洗濯物の繊維の種別のいずれかの情報を用いて、より容易に、乾燥完了予定時刻と消費エネルギー量を算出できる。よって、洗濯物乾燥システムは、より容易に、洗濯物を乾燥させる環境に基づく適切な情報を提示することができる。
【０１２５】
また、洗濯物乾燥システムは、環境情報に含まれる、環境の温度、湿度、及び、熱貫流量のいずれかの情報を用いて、より容易に、乾燥手段によって洗濯物を乾燥させるときの乾燥能力値を推定する。よって、洗濯物乾燥システムは、より容易に、洗濯物を乾燥させる環境に基づく適切な情報を提示することができる。
【０１２６】
また、洗濯物乾燥システムは、乾燥手段による洗濯物の乾燥に用いられる機器を制御することで、洗濯物の乾燥を早めることができる。よって、洗濯物乾燥システムは、洗濯物の乾燥を早めながら、洗濯物を乾燥させる環境に基づく適切な情報を提示することができる。
【０１２７】
また、洗濯物乾燥システムは、乾燥手段による洗濯物の乾燥に用いられる空間の制約を考慮して、洗濯物の乾燥についての情報を提示する。このように乾燥手段による洗濯物の乾燥に用いられる空間の制約が考慮されるので、その乾燥手段を用いた場合に空間的な制約により洗濯物の乾燥が適切になされないことを回避できる。よって、洗濯物乾燥システムは、乾燥手段による乾燥に用いられる空間の制約を加味して、洗濯物を乾燥させる環境に基づく適切な情報を提示することができる。
【０１２８】
また、洗濯物乾燥システムは、洗濯物の乾燥に関してユーザが希望する時刻に関する制約を考慮して、洗濯物の乾燥についての情報を提示する。このように時間に関する制約が考慮されるので、ユーザの希望に反して、洗濯物の乾燥がなされた、又は、なされていないという結果が生ずることを回避できる。よって、洗濯物乾燥システムは、乾燥手段による乾燥についてユーザの時間の制約を加味して、洗濯物を乾燥させる環境に基づく適切な情報を提示することができる。
【０１２９】
また、洗濯物乾燥システムは、洗濯物の乾燥に際して、洗濯物の乾燥に要する時間帯の気象情報をユーザに提示するので、ユーザは、上記時間帯における気象情報を知ることができ、乾燥手段の選択に活用することができる。よって、洗濯物乾燥システムは、気象情報を加味して、洗濯物を乾燥させる環境に基づく適切な情報を提示することができる。
【０１３０】
なお、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記実施の形態の洗濯物乾燥システムなどを実現するソフトウェアは、次のようなプログラムである。
【０１３１】
すなわち、このプログラムは、コンピュータに、洗濯機によって洗濯された洗濯物を乾燥させるための洗濯物乾燥システムによる情報提示方法であって、前記洗濯物に含まれる水分量を含む洗濯物情報と、前記洗濯が終了する時刻である洗濯終了時刻とを前記洗濯機から受信する通信ステップと、前記洗濯物を乾燥させ得る複数の乾燥手段それぞれによって前記洗濯物を乾燥させるときの標準乾燥能力値および標準消費エネルギー量と、乾燥時の環境を示す環境情報とを含む第一情報を取得する取得ステップと、前記複数の乾燥手段それぞれについて、（ａ）当該乾燥手段についての前記第一情報に基づいて、前記標準乾燥能力値を補正することで、当該乾燥手段により前記洗濯物を乾燥させるときの乾燥能力値を推定し、（ｂ）推定した前記乾燥能力値と、前記洗濯物情報とを用いて、前記洗濯終了時刻から前記洗濯物を当該乾燥手段によって乾燥し始めたと仮定した場合に、前記乾燥が完了する時刻である乾燥完了予定時刻と、前記乾燥のときの消費エネルギー量とを算出する、処理ステップと、前記処理ステップにより算出された、前記複数の乾燥手段それぞれについての前記乾燥完了予定時刻と前記消費エネルギー量との少なくとも一方を提示する出力ステップとを含む情報提示方法を実行させるプログラムである。
【０１３２】
以上、一つまたは複数の態様に係る洗濯物乾燥システムなどについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【０１３３】
本発明は、洗濯物を乾燥させる環境に基づく適切な情報を提示する洗濯物乾燥システムに利用可能である。
【符号の説明】
【０１３４】
１    洗濯物乾燥システム
１０    洗濯機
１１、１４    取得部
１２、１３    通信部
１５    処理部
１６    出力部
１７    制御部
３０、３２、３３、３４、３５、４０、４１、４２、４３、４４、４５、５０、５２、５３、５４、６０、６９    画像
４６、４７、４８    ボタン
６１    名称
６２    動作モード
６３    乾燥完了予定時刻
６４    消費電力
６５    備考
Ａ    方向
Ｄ    除湿機
Ｗ    風
【図１】
2020182643.tif 000003
【図２】
2020182643.tif 000004
【図３】
2020182643.tif 000005
【図４】
2020182643.tif 000006
【図５】
2020182643.tif 000007
【図６】
2020182643.tif 000008
【図７】
2020182643.tif 000009
【図８】
2020182643.tif 000010
【図９】
2020182643.tif 000011
【図１０】
2020182643.tif 000012
【図１１】
2020182643.tif 000013